(57)【要約】【課題】電話アプリケーション機能と他のアプリケーション機能とを共用する端末装置であって、電話アプリケーション機能使用時に、使用状態に応じた音量を設定し得る端末装置を提供する。【解決手段】記憶部１３に端末装置１Ａの動作モード示す情報と音量値とを対応付けて登録しておき、制御部１２にて着信呼やヘッドセット２６の接続の有無を検出し、この検出結果に基づいて対応する音量値を記憶部１３から読み出し、この音量値に基づいて着信信号や受話音声信号の音量を自動調整して内蔵スピーカ２４やヘッドセット２６から出力するようにしている。【選択図】    図１
2006157611.tif 000002
【特許請求の範囲】
【請求項１】
音声パケットを伝送する通信ネットワークに接続され、音声入力部に入力される音声信号を音声パケットに変換して前記通信ネットワークに伝送し、当該通信ネットワークから送られる音声パケットを受信して音声信号に変換し、当該音声信号を音声出力部から音響再生するための電話アプリケーション機能を有する端末装置であって、
互いに異なる複数の動作モードにそれぞれ対応する音量値を記憶する記憶手段と、
前記動作モードを検出する検出手段と、
検出された動作モードに対応する音量値を前記記憶手段から読み出し、この音量値に基づいて前記音声信号の信号レベルを制御する制御手段とを具備したことを特徴とする端末装置。
【請求項２】
前記検出手段は、前記音声信号を音響再生し、当該音声信号を入力するためのヘッドセットの接続の有無を検出し、
前記制御手段は、前記ヘッドセットが接続されているとき、前記ヘッドセットによる通話に対応する音量値を前記記憶手段から読み出し、この音量値に基づいて前記音声信号の信号レベルを制御することを特徴とする請求項１記載の端末装置。
【請求項３】
前記制御手段は、前記ヘッドセットが接続されている状態で、着信呼が検出されたとき、前記着信呼に対応する音量値を前記記憶手段から読み出し、この音量値に基づいて前記音声出力部から着信音を出力させることを特徴とする請求項２記載の端末装置。
【請求項４】
さらに、前記音声信号を前記音声出力部に入力する前に、前記音声信号の信号レベルを監視し、前記音声信号の信号レベルが所定レベルを超える場合に、所定レベル以下となるように利得制御を行う利得制御手段を備えることを特徴とする請求項１記載の端末装置。
【請求項５】
前記利得制御手段は、前記ヘッドセットが接続されているとき、前記音声信号を前記ヘッドセットに入力する前に、前記音声信号の信号レベルを監視し、前記音声信号の信号レベルが所定レベルを超える場合に、所定レベル以下となるように利得制御を行うことを特徴とする請求項４記載の端末装置。
【請求項６】
音声パケットを伝送する通信ネットワークに接続され、音声入力部に入力される音声信号を音声パケットに変換して前記通信ネットワークに伝送し、当該通信ネットワークから送られる音声パケットを受信して音声信号に変換し、当該音声信号を音声出力部から音響再生するための電話アプリケーション機能を有する端末装置の制御方法であって、
互いに異なる複数の動作モードにそれぞれ対応する音量値をメモリに記憶し、
前記動作モードを検出し、
検出された動作モードに対応する音量値を前記メモリから読み出し、この音量値に基づいて前記音声信号の信号レベルを制御するようにしたことを特徴とする端末装置の制御方法。
【請求項７】
前記動作モードを検出する過程は、前記音声信号を音響再生し、当該音声信号を入力するためのヘッドセットの接続の有無を検出し、
前記制御する過程は、前記ヘッドセットが接続されているとき、前記ヘッドセットによる通話に対応する音量値を前記メモリから読み出し、この音量値に基づいて前記音声信号の信号レベルを制御することを特徴とする請求項６記載の端末装置の制御方法。
【請求項８】
前記制御する過程は、前記ヘッドセットが接続されている状態で、着信呼が検出されたとき、前記着信呼に対応する音量値を前記メモリから読み出し、この音量値に基づいて前記音声出力部から着信音を出力させることを特徴とする請求項７記載の端末装置の制御方法。
【請求項９】
さらに、前記音声信号を前記音声出力部に入力する前に、前記音声信号の信号レベルを監視し、前記音声信号の信号レベルが所定レベルを超える場合に、所定レベル以下となるように利得制御を行う過程を備えることを特徴とする請求項６記載の端末装置の制御方法。
【請求項１０】
前記利得制御する過程は、前記ヘッドセットが接続されているとき、前記音声信号を前記ヘッドセットに入力する前に、前記音声信号の信号レベルを監視し、前記音声信号の信号レベルが所定レベルを超える場合に、所定レベル以下となるように利得制御を行うことを特徴とする請求項９記載の端末装置の制御方法。
【発明の詳細な説明】
【技術分野】
【０００１】
この発明は、例えばパーソナル・コンピュータに電話機能を持たせて、ＶＯＩＰ（Voice Over Internet Protocol）電話機として使用する端末装置及びこの端末装置の制御方法に関する。
【背景技術】
【０００２】
近年、パケット網を介して、双方向に画像や音声をパケットデータとして、リアルタイムに送受信するネットワーク電話システム（ＶＯＩＰ電話システム）が普及し始めている。このＶＯＩＰ電話システムでは、パーソナル・コンピュータやサーバに、ＶＯＩＰ電話機能を持たせ、これをＶＯＩＰ電話機の代わりに使用することが提案されている。そのソフトウェア構造は、汎用ＯＳ(Operating System)上にＶＯＩＰ電話アプリケーションを搭載したものが採用される。
【０００３】
ところで、上記パーソナル・コンピュータで、ワープロや表計算ソフト、メール、インターネット等の基本的なデータ処理機能と、ＶＯＩＰ電話機能とを共用する場合に、両機能に対し同一の音量が設定されることになる。このため、ボリュームを小さくしていると、着信があった際のスピーカからの着信音が聞き取れないレベルまで小さくなる。また、ボリュームを大きくしすぎると、着信があった際に突如大きな音が出ることがある。
【０００４】
そこで、各アプリケーションごとに最適な音量を設定する手法が提案されている（例えば、特許文献１）。
【特許文献１】特開２００１−２５６０４１号公報。
【発明の開示】
【発明が解決しようとする課題】
【０００５】
ところで、上記手法は、アプリケーション単位で音量設定を自動的に行うものであり、ＶＯＩＰ電話アプリケーション中の電話機着信音量、スピーカ音量、ヘッドセット受話音量といったきめ細かな音量設定を行うものではない。このため、電話機の使用状態に応じた音量設定を自動的に行う手法が強く望まれている。
【０００６】
そこで、この発明の目的は、電話アプリケーション機能と他のアプリケーション機能とを共用する端末装置であって、電話アプリケーション機能使用時に、使用状態に応じた音量を設定し得る端末装置及びこの端末装置の制御方法を提供することにある。
【課題を解決するための手段】
【０００７】
この発明は、上記目的を達成するために、以下のように構成される。  
音声パケットを伝送する通信ネットワークに接続され、音声入力部に入力される音声信号を音声パケットに変換して通信ネットワークに伝送し、当該通信ネットワークから送られる音声パケットを受信して音声信号に変換し、当該音声信号を音声出力部から音響再生するための電話アプリケーション機能を有する端末装置であって、互いに異なる複数の動作モードにそれぞれ対応する音量値を記憶する記憶手段と、動作モードを検出する検出手段と、検出された動作モードに対応する音量値を記憶手段から読み出し、この音量値に基づいて前記音声信号の信号レベルを制御する制御手段とを備えるようにしたものである。
【０００８】
この構成によれば、記録媒体に端末装置の動作モード示す情報と音量値とを対応付けて登録しておき、動作モードを検出することで、検出された動作モードに対応する音量値が記録媒体から読み出され、この音量値に基づいて音声信号を自動調整して音声出力部から出力することが可能となる。従って、マニュアルボリューム位置とは関係なく、着信時やスピーカホン通話時にそれぞれ最適な音量に自動設定することができる。
【０００９】
検出手段は、音声信号を音響再生し、当該音声信号を入力するためのヘッドセットの接続の有無を検出し、制御手段は、ヘッドセットが接続されているとき、ヘッドセットによる通話に対応する音量値を記憶手段から読み出し、この音量値に基づいて音声信号の信号レベルを制御することを特徴とする。  
この構成によれば、ユーザが手操作で音量設定を行うことなく、ヘッドセットが接続されている場合に、ヘッドセットによる通話時に最適な音量に自動設定することができる。
【００１０】
制御手段は、ヘッドセットが接続されている状態で、着信呼が検出されたとき、着信呼に対応する音量値を記憶手段から読み出し、この音量値に基づいて音声出力部から着信音を出力させることを特徴とする。  
この構成によれば、着信呼が検出された場合に、ヘッドセットの接続の有無に関係なく、着信音が最適な音量で音声出力部から出力されることになる。このため、ヘッドセットが接続されている状態であっても、ユーザは着信音を確実に聞くことができる。
【００１１】
さらに、音声信号を音声出力部に入力する前に、音声信号の信号レベルを監視し、音声信号の信号レベルが所定レベルを超える場合に、所定レベル以下となるように利得制御を行う利得制御手段を備えることを特徴とする。  
この構成によれば、音声出力部に入力する音声信号の信号レベルを、音声出力部の出力が非線形となり飽和を起こす音量より低いレベルに制御される。つまり、音響的に歪を起こす前に、入力音声信号の信号レベルが所定レベル以上であっても自動的にゲインを制御するので、スピーカ音での歪はなくなる。従って、通話相手が非常に大きな音を出しても、スピーカの歪がない範囲で、通話を行うことができ、これにより音割れするようなことがなくなる。
【発明の効果】
【００１２】
以上詳述したようにこの発明によれば、電話アプリケーション機能と他のアプリケーション機能とを共用する端末装置であって、電話アプリケーション機能使用時に、使用状態に応じた音量を設定し得る端末装置及びこの端末装置の制御方法を提供することができる。
【発明を実施するための最良の形態】
【００１３】
以下、この発明の実施形態について図面を参照して詳細に説明する。  
（第１の実施形態）  
図１は、この発明の第１の実施形態に係わる端末装置を示すブロック図である。  
図１において、図中符号１Ａは端末装置で、パーソナル・コンピュータからなり、データ通信アプリケーションとＶＯＩＰ電話アプリケーションとを搭載している。この端末装置１Ａは、ＩＰネットワークに接続される。
【００１４】
端末装置１Ａは、ＬＡＮ（Local Area Network）インタフェース（Ｉ／Ｆ）部１１と、制御部１２と、ＲＡＭやハードディスク装置からなる記憶部１３と、マニュアルボリューム１４と、バイパス部１５と、切替回路１６，１７と、オーディオアンプ１８，１９と、ヘッドセットインタフェース（Ｉ／Ｆ）部２０とを備えている。また、制御部１２には、表示部（ＬＣＤ）２１と、キーボード２２と、マウス２３とが接続される。さらに、オーディオアンプ１８には内蔵スピーカ２４が接続され、切替回路１７には内蔵マイク２５が接続される。
【００１５】
ＬＡＮインタフェース部１１は、ＩＰネットワークに関するインタフェース動作を行う。つまり、ＬＡＮインタフェース部１１は、ＩＰネットワークから送られてきた伝送パケットを制御部１２へと与える。またＬＡＮインタフェース部１１は、制御部１２から与えられる伝送パケットをＩＰネットワークに送信する。
【００１６】
制御部１２は、ＬＡＮインタフェース部１１から与えられる伝送パケットをアナログの受話音声信号に変換し、入力された送話音声信号をＩＰネットワークで取り扱い可能な伝送パケットに変換してＬＡＮインタフェース部１１に与える。
【００１７】
受話音声信号は、スピーカホン通話時に、バイパス部１５及び切替回路１６を介してオーディオアンプ１８に供給され、オーディオアンプ１８にて増幅された後、内蔵スピーカ２４に供給されて音響再生される。また、内蔵マイク２５により入力された送話音声信号は、切替回路１７を介して制御部１２に供給される。
【００１８】
また、ヘッドセットインタフェース部２０にヘッドセット２６が接続されている場合に、制御部１２から出力される受話音声信号は、バイパス部１５及び切替回路１６を介してオーディオアンプ１９に供給され、オーディオアンプ１９にて増幅された後、ヘッドセット２６から拡声出力される。また、ヘッドセット２６により入力された送話音声信号は、切替回路１７を介して制御部１２に供給される。
【００１９】
記憶部１３には、図２に示すように、動作モードと設定すべく音量値との対応関係を表すテーブルが記憶されている。なお、音量値は、例えばｃｃ＜ｂｂ＜ａａの関係を満たしている。
【００２０】
ヘッドセットインタフェース部２０は、ヘッドセット２６により入力された送話音声信号を切替回路１７を介して制御部１２に入力すると共に、オーディオアンプ１９から出力された受話音声信号をヘッドセット２６に供給して拡声出力させる。また、ヘッドセットインタフェース部２０は、ヘッドセット２６が接続されている場合に、接続情報を制御部１２に通知する。
【００２１】
また、制御部１２は、ソフトウェア処理によるアンプゲイン１２１と、アナログサウンド出力部１２２と、アナログサウンド入力部１２３と、切替制御部１２４とを備えている。アンプゲイン１２１は、切替制御部１２４により指示される動作モードに対応する音量値を記憶部１３から読み出し、この音量値に従って受話音声信号の音量を調整する。
【００２２】
アナログサウンド出力部１２２は、アンプゲイン１２１により音量調整された受話音声信号をバイパス部１５に出力する。アナログサウンド入力部１２３は、切替回路１７を介して供給された送話音声信号を入力するためのものである。
【００２３】
切替制御部１２４は、着信呼の到来を監視し、着信発生時にアンプゲイン１２１に対し着信呼に対応する音量を設定させるとともに、着信応答時に、ヘッドセット２６が接続されているか否かを検出し、ヘッドセット２６が接続されていない場合には、アンプゲイン１２１に対しスピーカホン通話に対応する音量を設定させ、バイパス部１５をオンに設定するとともに、切替回路１６，１７を内蔵スピーカ２４及び内蔵マイク２５側へ切り替える。また、ヘッドセット２６が接続されている場合には、アンプゲイン１２１に対しヘッドセット通話に対応する音量を設定させ、バイパス部１５をオンに設定するとともに、切替回路１６，１７をヘッドセット２６側へ切り替える。
【００２４】
キーボード２２及びマウス２３は、ユーザによる制御部１２に対する各種の指示入力を受け付けるためのものである。表示部２１はユーザに対する各種の情報報知を行う。
【００２５】
次に、上記構成における処理動作について説明する。  
まず、制御部１２は、端末装置１Ａ起動時に、表示部２１に音量設定登録画面を表示し、ユーザからキーボード２２及びマウス２３を通じて登録してもらう。そして、キーボード２２及びマウス２３で登録された結果を判断する。未入力の場合には、以前の登録値を使用してよいか確認表示し、使用してよい場合には以前の登録値を使用する。また、登録された場合には、登録データを読み込み、記憶部１３に登録する。
【００２６】
図３は、着信呼が到来した際の制御部１２の処理手順を示すフローチャートである。なお、ここではすでに記憶部１３に各動作モードに対応した音量値が登録されているものとして説明する。
【００２７】
まず、ＩＰネットワークを介して着信呼が到来すると（ステップＳＴ３ａ）、制御部１２は着信呼に対応する音量値を記憶部１３から読み出し（ステップＳＴ３ｂ）、この読み出した音量値に従って着信呼の音量を調整するとともに、バイパス部１５をオンに設定し、切替回路１８をオーディオアンプ１８側に切り替えて着信音を内蔵スピーカ２４から出力させる（ステップＳＴ３ｃ）。
【００２８】
そして、制御部１２は、呼び出しに対し着信応答するか否かの判断を行い（ステップＳＴ３ｄ）、着信応答した場合に（Ｙｅｓ）、端末装置１Ａと相手側の端末との間を接続する（ステップＳＴ３ｅ）。
【００２９】
一方、応答しない場合には（Ｎｏ）、制御部１２はタイマ（図示せず）により一定時間内に着信応答が行われるか否かの判断を行い（ステップＳＴ３ｆ）、一定時間内であればステップＳＴ３ｄに移行し、一定時間を経過した場合には着信音の送出を停止する。
【００３０】
なお、上記ステップＳＴ３ｃにおいて、ヘッドセット２６がヘッドセットインタフェース部２０に接続されている場合にも、内蔵スピーカ２４から着信音を強制的に出力する。
【００３１】
図４は、通話を行う際の制御部１２の処理手順を示すフローチャートである。なお、ここではすでに通信相手との間で通信リンクが開設されているものとする。
【００３２】
接続時に、制御部１２はヘッドセット２６が接続されているか否かの判断を行う（ステップＳＴ４ａ）。ここで、ヘッドセット２６が接続されていない場合には（Ｎｏ）、制御部１２はスピーカホン通話に対応する音量値を記憶部１３から読み出し（ステップＳＴ４ｂ）、この読み出した音量値に従って受話音声信号の音量を調整するとともに、バイパス部１５をオンに設定し、切替回路１８をオーディオアンプ１８側に切り替えて受話音声信号を内蔵スピーカ２４から出力させる（ステップＳＴ４ｃ）。
【００３３】
一方、ヘッドセット２６が接続されている場合には（Ｙｅｓ）、制御部１２はヘッドセット通話に対応する音量値を記憶部１３から読み出し（ステップＳＴ４ｄ）、この読み出した音量値に従って受話音声信号の音量を調整するとともに、バイパス部１５をオンに設定し、切替回路１８をオーディオアンプ１９側に切り替えて受話音声信号をヘッドセット２６から出力させる（ステップＳＴ４ｅ）。
【００３４】
なお、上記ステップＳＴ４ａにおいて、ヘッドセット２６が接続されている状態から指し抜かれた状態に変化した場合には、制御部１２はスピーカホン通話に対応する音量値を記憶部１３から読み出し、この読み出した音量値に従って受話音声信号の音量を調整するとともに、バイパス部１５をオンに設定し、切替回路１８をオーディオアンプ１８側に切り替えて受話音声信号を内蔵スピーカ２４から出力させる。
【００３５】
以上のように上記第１の実施形態では、記憶部１３に端末装置１Ａの動作モード示す情報と音量値とを対応付けて登録しておき、制御部１２にて着信呼やヘッドセット２６の接続の有無を検出し、この検出結果に基づいて対応する音量値を記憶部１３から読み出し、この音量値に基づいて着信信号や受話音声信号の音量を自動調整して内蔵スピーカ２４やヘッドセット２６から出力するようにしている。
【００３６】
従って、マニュアルボリューム１４のボリューム位置とは関係なく、着信時やスピーカホン通話時、ヘッドセット通話時にそれぞれ最適な音量に自動設定することができる。
【００３７】
また、上記第１の実施形態では、制御部１２において、着信呼が到来した場合に、ヘッドセット２６の接続の有無に関係なく、着信音が最適な音量で内蔵スピーカ２４から出力されることになる。このため、ヘッドセット２６が接続されている状態であっても、ユーザは着信音を確実に聞くことができる。
【００３８】
（第２の実施形態）  
図５は、この発明の第２の実施形態に係わる端末装置を示すブロック図である。なお、図５において、上記図１と同一部分には同一符号を付して詳細な説明を省略する。
【００３９】
すなわち、端末装置１Ｂには、上記オーディオアンプ１８に代えて、ＡＬＣ(Automatic Level control)機能を備えたオーディオアンプ３１を設けるようにしたものである。
【００４０】
オーディオアンプ３１は、受話音声信号を内蔵スピーカ２４に入力する前に、受話音声信号の信号レベルを監視し、受話音声信号の信号レベルが所定レベルを超える場合に、所定レベル以下となるように利得制御を行う。
【００４１】
次に、上記構成における処理動作について説明する。  
図６はスピーカ音量の周波数特性図であり、図７はスピーカ入力信号レベルとスピーカ音量レベルとの関係を表す特性図である。なお、図６は入力信号レベルを１０ｄＢ段階で変えたものである。
【００４２】
すなわち、入力信号レベルが小さければ線形性があり、大きな入力信号レベルでは、非線形となる。このため、内蔵スピーカ２４は、図８に示すように、入力信号レベルが小さいレベルでは、電気的信号を忠実に音響に変換するが、大きな信号レベルでは特性上、出力レベルの所では音響変換できなくなり、これによりレベルの大きい所に歪が出る。
【００４３】
そこで、本第２の実施形態では、上記歪をなくすために、内蔵スピーカ２４の入力信号をオーディオアンプ３１にてＡＬＣ制御するようにしている。このＡＬＣにより制御する入力信号レベルを、図９に示すように、内蔵スピーカ２４の出力が非線形となり、飽和を起こす音量の約６ｄＢ低い値とする。
【００４４】
すると、オーディオアンプ３１では、図１０に示すように、入力レベルが小さい場合はゲインが一定で、入力レベルが大きい場合にはゲインを下げる。この結果、図１１に示すように、大きな入力レベルの信号がオーディオアンプ３１に入力された場合にも、ＡＬＣで設定された最大レベル以上の出力レベルの信号が内蔵スピーカ２４に入力されずに済む。
【００４５】
以上のように上記第２の実施形態では、内蔵スピーカ２４に入力する受話音声信号の信号レベルを、オーディオアンプ３１にて内蔵スピーカ２４の出力が非線形となり飽和を起こす音量より低いレベルに制御される。つまり、音響的に歪を起こす前に、入力音声信号の信号レベルが所定レベル以上である場合にオーディオアンプ３１にて自動的にゲインを制御するので、スピーカ音での歪はなくなる。
【００４６】
従って、通話相手が非常に大きな音を出しても、内蔵スピーカ２４の歪がない範囲で、通話を行うことができ、これにより音割れするようなことがなくなる。
【００４７】
（その他の実施形態）  
なお、この発明は上記各実施形態に限定されるものではない。例えば、上記第２の実施形態では、スピーカホン通話時にＡＬＣをかけることにより内蔵スピーカから出力される音声の歪を回避する例について説明したが、ヘッドセット通話時にもＡＬＣをかけてヘッドセットから出力される音声の歪を回避するようにしてもよい。
【００４８】
演算増幅器により音声信号をクリッピングする例について説明したが、演算増幅器以外の増幅器を用いてクリッピングを行うようにしてもよい。
【００４９】
また、上記第２及び第３の実施形態では、クリッピングされた音声信号を音声信号処理部の入力定格レベル以下とするために、分圧回路や演算増幅器を用いる例について説明したが、分圧回路や演算増幅器の他に、クリッピングされた音声信号を音声信号処理部の入力定格レベル以下の信号に変換できるものを用いてもよい。
【００５０】
また、上記各実施形態では、受話音声信号の音量を自動調整する例について説明したが、送話音声信号の音量を自動調整するようにしてもよい。
【００５１】
また、上記各実施形態では、パーソナル・コンピュータにＶＯＩＰ電話アプリケーションを搭載する例について説明したが、このパーソナル・コンピュータ以外にも、音声信号を取り扱う電子機器に上記各実施形態を適用するようにしてもよい。
【００５２】
その他、端末装置の種類及びその構成、着信時、スピーカホン通話時といった動作モードの種類、動作モードの検出方法、音量設定手順等についても、この発明の要旨を逸脱しない範囲で種々変形して実施できる。
【図面の簡単な説明】
【００５３】
【図１】この発明の第１の実施形態に係わる端末装置を示すブロック図。
【図２】上記図１の記憶部の記憶内容の一例を示す図。
【図３】同第１の実施形態において、着信呼が到来した際の制御部の処理手順を示すフローチャート。
【図４】同第１の実施形態において、通話を行う際の制御部の処理手順を示すフローチャート。
【図５】この発明の第２の実施形態に係わる端末装置を示すブロック図。
【図６】同第２の実施形態で適用されるスピーカ音量の周波数特性図。
【図７】同第２の実施形態で適用されるスピーカ入力信号レベルとスピーカ音量レベルとの関係を表す特性図。
【図８】同第２の実施形態における内蔵スピーカの入出力特性を説明するために示す信号波形図。
【図９】同第２の実施形態におけるスピーカ音量と入力信号との関係を示す特性図。
【図１０】同第２の実施形態におけるオーディオアンプの増幅率と入力信号との関係を示す特性図。
【図１１】同第２の実施形態において、ＡＬＣ後の内蔵スピーカの出力信号を示す図。
【符号の説明】
【００５４】
１Ａ，１Ｂ…端末装置、１１…ＬＡＮ（Local Area Network）インタフェース部、１２…制御部、１３…記憶部、１４…マニュアルボリューム、１５…バイパス部、１６，１７…切替回路、１８，１９、３１…オーディオアンプ、２０…ヘッドセットインタフェース部、２１…表示部（ＬＣＤ）、２２…キーボード、２３…マウス、２４…内蔵スピーカ、２５…内蔵マイク、２６…ヘッドセット、１２１…アンプゲイン、１２２…アナログサウンド出力部、１２３…アナログサウンド入力部、１２４…切替制御部。
【図１】
2006157611.tif 000003
【図２】
2006157611.tif 000004
【図３】
2006157611.tif 000005
【図４】
2006157611.tif 000006
【図５】
2006157611.tif 000007
【図６】
2006157611.tif 000008
【図７】
2006157611.tif 000009
【図８】
2006157611.tif 000010
【図９】
2006157611.tif 000011
【図１０】
2006157611.tif 000012
【図１１】
2006157611.tif 000013